(57)【要約】      （修正有）【課題】性能の異なるレンズを備えた複数の前掛眼鏡の中から装着者の目的に合ったものを直ちに選択可能にするＴＰＯ取替式前掛型ファッション眼鏡を提供する。【解決手段】左右一対のレンズＬ・Ｌを備え、このレンズＬ・Ｌを眼前に保持するテンプルＴ・Ｔを折畳み自在に枢着したメイン眼鏡１とこのメイン眼鏡１のレンズＬ・Ｌに重ね、取替え自在に装着するためのレンズ色を異にした一対のレンズを具備する複数の前掛眼鏡とから構成する。【選択図】図１
2018028594.tif 000002
【特許請求の範囲】
【請求項１】
左右一対のレンズ（Ｌ・Ｌ）を備え、このレンズ（Ｌ・Ｌ）を眼前に保持するテンプル（Ｔ・Ｔ）を折畳み自在に枢着したメイン眼鏡（１）と；このメイン眼鏡（１）の前記レンズ（Ｌ・Ｌ）に重ね、取替え自在に装着するためのレンズ色を異にした一対のレンズ（Ｌ1・Ｌ1）、（Ｌ2・Ｌ2）、（Ｌ3・Ｌ3）、および（Ｌ4・Ｌ4）を具備する複数の前掛眼鏡２・３・４・５とから構成されることを特徴とするＴＰＯ取替式前掛型ファッション眼鏡。
【請求項２】
メイン眼鏡（１）、および前掛眼鏡２・３・４・５に装着されるレンズに、視力矯正用レンズ（Ｌ・Ｌ）、ブルーライトカットレンズ（Ｌ1・Ｌ1）、イエローレンズ（Ｌ2・Ｌ2）、偏光レンズ（Ｌ3・Ｌ3）、ミラーコートレンズ（Ｌ4・Ｌ4）を選択したことを特徴とする請求項１に記載のＴＰＯ取替式前掛型ファッション眼鏡。
【請求項３】
メイン眼鏡（１）、および前掛眼鏡２・３・４・５の枠体の色彩が、暗色（メイン眼鏡１）、青色（前掛眼鏡２）、黄色（前掛眼鏡３）、緑色（前掛眼鏡４）、赤色（前掛眼鏡５）に彩色されていることを特徴とする請求項１または請求項２に記載のＴＰＯ取替式前掛型ファッション眼鏡。
【発明の詳細な説明】
【技術分野】
【０００１】
本発明は、メイン眼鏡に重ねて、取替え自在に装着する前掛眼鏡の改良、更に詳しくは、調光性能の異なるレンズを備えた複数の前掛眼鏡の中からイベント等に応じて装着者の目的に合ったものを直ちに選択することが可能なＴＰＯ取替式前掛型ファッション眼鏡に関するものである。
【背景技術】
【０００２】
視力矯正のために眼鏡を使用している人が、眼鏡に日除け等の機能を付与するために前掛眼鏡を用いるのは周知であり、その多くは、着脱が容易なクリップ式、磁着式を採用している（特許文献１及び特許文献２参照）。
【０００３】
また、前掛眼鏡の使用者はＴＰＯ（time（時）、place（場所）、occasion（例えば、イベントなどの出来事））に応じて前掛眼鏡を取替え、ファッション性を向上させる技術は知られている（特許文献３参照）。
【０００４】
ところで、前掛眼鏡にはリムレスタイプと、フルリムタイプとがあることは知られているが、前者はメイン眼鏡の形状を問わず装着できる反面、メイン眼鏡と前掛眼鏡の形状が異なるため外観的に違和感が生じ易い。そこで後者の前掛眼鏡は、メイン眼鏡と前掛眼鏡の枠体とを同形に形成することで違和感を生じ難くしている。
【０００５】
しかし、フルリムタイプの前掛眼鏡は、外観的に違和感が生じ難いものの、異なるレンズを備えた前掛眼鏡を複数所持している場合、バラバラに存在するフレームの中から装着者の目的に合った前掛眼鏡を直ちに見つけるのが難しいという問題があった。
【先行技術文献】
【特許文献】
【０００６】
【特許文献１】特開２０１６−１１８７５８号公報
【特許文献２】特開２００６−３０１２８７号公報
【特許文献３】特開２００７−１５６３５４号公報
【発明の概要】
【発明が解決しようとする課題】
【０００７】
本発明は、従来の前掛眼鏡に上記のような問題があったことに鑑みて為されたものであり、性能の異なるレンズを備えた複数の前掛眼鏡の中から装着者の目的に合ったものを直ちに選択可能にするＴＰＯ取替式前掛型ファッション眼鏡を提供することにある。
【課題を解決するための手段】
【０００８】
本発明者が上記課題を解決するために採用した手段を添付図面を参照して説明すれば、次のとおりである。
【０００９】
即ち、本発明は、左右一対のレンズＬ・Ｌを備え、このレンズＬ・Ｌを眼前に保持するテンプルＴ・Ｔを折畳み自在に枢着したメイン眼鏡１と；このメイン眼鏡１の前記レンズＬ・Ｌに重ね、取替え自在に装着するためのレンズ色を異にした一対のレンズＬ1・Ｌ1、Ｌ2・Ｌ2、Ｌ3・Ｌ3、およびＬ4・Ｌ4を具備する複数の前掛眼鏡２・３・４・５とから構成するという技術的手段を採用することによってＴＰＯ取替式前掛型ファッション眼鏡を完成させた。
【００１０】
また、メイン眼鏡１には、視力矯正用レンズＬ・Ｌを装着し、前掛眼鏡２・３・４・５には、青色を連想するレンズ（例えば、ブルーライトカットレンズ）Ｌ1・Ｌ1、黄色を連想するレンズ（例えば、イエローレンズ）Ｌ2・Ｌ2、緑色を連想するレンズ（例えば、偏光レンズ）Ｌ3・Ｌ3、赤色を連想するレンズ（例えば、ミラーコートレンズ）Ｌ4・Ｌ4を装着するという技術的手段を採用することができる。ちなみに、ミラーコートレンズとは、レンズ表面に鏡のような反射加工を施したレンズのことを意味する。
【００１１】
本発明は、メイン眼鏡１、および前掛眼鏡２・３・４・５の枠体の色彩が、暗色（メイン眼鏡１）、青色（前掛眼鏡２）、黄色（前掛眼鏡３）、緑色（前掛眼鏡４）、赤色（前掛眼鏡５）に彩色するという技術的手段を採用するものとする。
【発明の効果】
【００１２】
本発明においては、前掛眼鏡２・３・４・５がレンズ色を異にしたレンズＬ1・Ｌ1、Ｌ2・Ｌ2、Ｌ3・Ｌ3、およびＬ4・Ｌ4を装着することにより、各々の前掛眼鏡のファッション性を強調することができる。
【００１３】
また、本発明においては、メイン眼鏡１には視力矯正用レンズＬ・Ｌ、前掛眼鏡２・３・４・５にはブルーライトカットレンズＬ1・Ｌ1、イエローレンズＬ2・Ｌ2、偏光レンズＬ3・Ｌ3、ミラーコートレンズＬ4・Ｌ4を装着することにより、メイン眼鏡１、および前掛眼鏡２・３・４・５に異なる機能を付与することが可能となる。
【００１４】
また、本発明においては、メイン眼鏡１の枠体を暗色、前掛眼鏡２・３・４・５の枠体を青色、黄色、緑色、赤色に彩色することによりファッション性に富んだ外観を備えると共に、目的に合った前掛眼鏡を直ちに選択することが可能となる。
【図面の簡単な説明】
【００１５】
【図１】実施例１のメイン眼鏡を表した斜視図である。
【図２】実施例１の前掛眼鏡２を表した斜視図である。
【図３】実施例１の前掛眼鏡３を表した斜視図である。
【図４】実施例１の前掛眼鏡４を表した斜視図である。
【図５】実施例１の前掛眼鏡５を表した斜視図である。
【図６】変形例の前掛眼鏡２を表した斜視図である。
【発明を実施するための形態】
【００１６】
本発明を実施するための形態を、具体的に図示した図面に基づいて、更に詳細に説明すると、以下のとおりである。
【００１７】
『実施例１』
本発明の好ましい実施の形態を実施例１として図１から図５に示す。図中符号１で指示するものはメイン眼鏡であって、このメイン眼鏡１は一対のレンズＬ・Ｌを装着すると共に、折畳み自在なテンプルＴ・Ｔを枢着してなり、メイン眼鏡１の両側智部には前掛眼鏡を所定位置に取付けるための磁石が埋設してある（図１参照）。
【００１８】
なお、本実施例において、メイン眼鏡１の枠体としては、暗色に彩色した合成樹脂材を成形して作成されており、レンズＬ・Ｌには視力矯正用レンズを使用した。
【００１９】
次に、符号２・３・４・５で指示するものは前掛眼鏡であって、この前掛眼鏡２・３・４・５には、レンズＬ1・Ｌ1、Ｌ2・Ｌ2、Ｌ3・Ｌ3、およびＬ4・Ｌ4が装着されており、両側智部裏面にはメイン眼鏡１に取付けるための磁石が配設してある。本実施例において、前掛眼鏡２・３・４・５の枠体は、合成樹脂材を成形してなり、外周部に彩色を施している。なお、各前掛眼鏡の枠体は、前掛眼鏡２は青色、前掛眼鏡３は黄色、前掛眼鏡４は緑色、前掛眼鏡５は赤色の彩色を施した（図２から図５参照）。また、レンズＬ1・Ｌ1はブルーライトカットレンズ、レンズＬ2・Ｌ2はイエローレンズ、レンズＬ3・Ｌ3は偏光レンズ、レンズＬ4・Ｌ4はミラーコートレンズを採用した。
【００２０】
即ち、実施例１において、前掛眼鏡２・３・４・５の枠体に組合せるレンズは、前掛眼鏡２にはブルーライトカットレンズＬ1・Ｌ1、前掛眼鏡３にはイエローレンズＬ2・Ｌ2、前掛眼鏡４には偏光レンズＬ3・Ｌ3、前掛眼鏡５にはミラーコートレンズＬ4・Ｌ4を組合せており、前掛眼鏡の枠体の色彩とレンズ機能との間に色彩的な関連を持たせている。
【００２１】
しかして、本発明におけるＴＰＯ取替式前掛型ファッション眼鏡は、メイン眼鏡１に磁着作用を利用して前掛眼鏡２・３・４・５を装着することにより、容易に着脱することができると共に、前掛眼鏡の枠体の色彩とレンズ機能とを色彩的に関連付けた組合せにすることによって、装着者の目的に合う前掛眼鏡を直ちに選択することが可能となる。
【００２２】
『変形例』
本明細書と添付図に例示する本発明の実施例は、概ね上記のとおりであるが、本発明は、前述の実施例に限定されるものでは決してなく、「特許請求の範囲」の記載内において種々の変更が可能であることは言うまでもなく、例えば、次に挙げる変更例は本発明の技術的範囲に属する。
【００２３】
メイン眼鏡１に前掛眼鏡２・３・４・５を取付ける方法について、本実施例では磁石を使用するとしたが、メイン眼鏡１に前掛眼鏡２・３・４・５を容易に取付けできれば従来周知の何れの方法を採用してもよい。
【００２４】
前掛眼鏡２・３・４・５の枠体の色彩について、本実施例では前掛眼鏡の枠体の外周部に彩色を施すとしたが、枠体の色彩とレンズＬ1・Ｌ1、Ｌ2・Ｌ2、Ｌ3・Ｌ3、およびＬ4・Ｌ4の機能との色彩的関連が外観から確認できれば、何れの場所に彩色を施してもよく、前掛眼鏡全面に彩色することも可能である（図６参照）。
【符号の説明】
【００２５】
１  メイン眼鏡
Ｌ  視力矯正用レンズ
Ｔ  テンプル
２  前掛眼鏡・青色
３  前掛眼鏡・黄色
４  前掛眼鏡・緑色
５  前掛眼鏡・赤色
Ｌ1  ブルーライトカットレンズ
Ｌ2  イエローレンズ
Ｌ3  偏光レンズ
Ｌ4  ミラーコートレンズ
【図１】
2018028594.tif 000003
【図２】
2018028594.tif 000004
【図３】
2018028594.tif 000005
【図４】
2018028594.tif 000006
【図５】
2018028594.tif 000007
【図６】
2018028594.tif 000008